(57)【要約】【課題】室外機に雨水を噴霧する場合には、いつでも十分に浄化されたものを噴霧できるようにして、室外機等の腐食の防止を図ること。【解決手段】空気調和装置の室外機２７を冷却する室外機用冷却装置において、雨水を貯水する貯水タンク１３と、この貯水タンク１３の雨水を浄化する浄化装置１２と、この浄化装置１２により浄化された貯水タンク１３の水を前記室外機２７に噴霧する噴霧器２６と、外気温度が噴霧器２６の噴霧開始温度よりも低い所定温度を上回ったときに浄化装置１２を構成するオゾナイザ２２及びエアーポンプ２１をオン・オフ制御するマイクロコンピュータ２８とを備えている。【選択図】図６
2011069589.tif 000002
【特許請求の範囲】
【請求項１】
空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度よりも低い所定温度を上回ったときに浄化装置を作動させる制御装置とを備えたことを特徴とする室外機用冷却装置。
【請求項２】
空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度よりも低い所定温度を上回り且つ外気温度が上昇しているときに浄化装置を作動させる制御装置とを備えたことを特徴とする室外機用冷却装置。
【請求項３】
空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度を超え且つ前記浄化装置による浄化時間の累計が一定時間を越えない場合には前記浄化装置をオン・オフ制御させる制御装置とを備えたことを特徴とする室外機用冷却装置。
【請求項４】
空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度を超え且つ前記浄化装置による浄化時間の累計が一定時間を越えない場合には前記浄化装置をオン・オフ制御させ、外気温度が前記噴霧器の噴霧開始温度を超え且つ前記浄化装置の浄化時間の累計が一定時間を越えた場合には前記浄化装置を作動させると共に前記噴霧器にて前記室外機に噴霧するように制御する制御装置とを備えたことを特徴とする室外機用冷却装置。
【請求項５】
前記貯水タンクは雨水を貯水する第１貯水タンクとこの第１貯水タンクから雨水が供給される小容量の第２貯水タンクとからなり、前記浄化装置は前記第２貯水タンク内の雨水を浄化するようにしたことを特徴とする請求項１乃至請求項４に記載の室外機用冷却装置。
【発明の詳細な説明】
【技術分野】
【０００１】
本発明は、空気調和装置の室外機を冷却する室外機用冷却装置に関する。
【背景技術】
【０００２】
本特許出願人はこの種の冷却装置として、雨水を貯水する貯水タンクと、この貯水タンク内の雨水を循環させながら浄化する浄化装置と、この浄化装置により浄化された雨水を室外機又は建築物に散水する散水器とを設けたものを提案している（特許文献１参照）。
【０００３】
このものでは、雨水を浄化して使用するので、従来の水道水を利用するものに比べて水道代を節約でき、経済的で衛生的な散水を行える利点がある。
【先行技術文献】
【特許文献】
【０００４】
【特許文献１】特願２００８−１７４７５０号に添付された特許請求の範囲、明細書及び図面
【発明の概要】
【発明が解決しようとする課題】
【０００５】
そして、従来は、外気温度が噴霧開始温度になったら、前記室外機に噴霧する場合には、ときに貯水タンクの雨水の浄化が不十分な、浄化しきれていない状態での雨水を噴霧するという事態が発生する可能性があり、前記室外機等の腐食を招く虞れがあった。
【０００６】
そこで本発明は、前述した問題点に鑑み、室外機に雨水を噴霧する場合には、いつでも十分に浄化されたものを噴霧できるようにして、前記室外機等の腐食の防止を図ることを目的とする。
【課題を解決するための手段】
【０００７】
このため第１の発明は、空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度よりも低い所定温度を上回ったときに浄化装置を作動させる制御装置とを備えたことを特徴とする。
【０００８】
第２の発明は、空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度よりも低い所定温度を上回り且つ外気温度が上昇しているときに浄化装置を作動させる制御装置とを備えたことを特徴とする。
【０００９】
第３の説明は、空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度を超え且つ前記浄化装置による浄化時間の累計が一定時間を越えない場合には前記浄化装置をオン・オフ制御させる制御装置とを備えたことを特徴とする。
【００１０】
第４の発明は、空気調和装置の室外機を冷却する室外機用冷却装置において、雨水を貯水する貯水タンクと、この貯水タンクの雨水を浄化する浄化装置と、この浄化装置により浄化された貯水タンクの水を前記室外機に噴霧する噴霧器と、外気温度が前記噴霧器の噴霧開始温度を超え且つ前記浄化装置の浄化時間の累計が一定時間を越えない場合には前記浄化装置をオン・オフ制御させ、外気温度が前記噴霧器の噴霧開始温度を超え且つ前記浄化装置による浄化時間の累計が一定時間を越えた場合には前記浄化装置を作動させると共に前記噴霧器にて前記室外機に噴霧するように制御する制御装置とを備えたことを特徴とする。
【００１１】
第５の発明は、第１乃至第４の発明において、前記貯水タンクは雨水を貯水する第１貯水タンクとこの第１貯水タンクから雨水が供給される小容量の第２貯水タンクとからなり、前記浄化装置は前記第２貯水タンク内の雨水を浄化するようにしたことを特徴とする。
【発明の効果】
【００１２】
第１の発明によれば、外気温度が噴霧器の噴霧開始温度よりも低い所定温度を上回ったときに浄化装置を作動させるようにしたので、貯水タンクの雨水を必要以上に浄化することがなくなり、しかも、外気温度が噴霧開始温度に到達する前に必要な量の雨水を浄化させることができるため、使い勝手を損なうことなく、消費電力の低減を図ることができ、噴霧開始の際には浄化が十分な状態となるように備えることができる。
【００１３】
第２の発明によれば、外気温度が噴霧器の噴霧開始温度よりも低い所定温度を上回り、且つ外気温度が上昇しているときに浄化装置を作動させるようにしたので、外気温度が噴霧開始温度近くになっても外気温度が上昇を続けないかぎり浄化装置が作動することがなく、より一層の消費電力の低減を図ることができ、噴霧開始の際には浄化が十分な状態となるように備えることができる。
【００１４】
第３の発明によれば、外気温度が噴霧器の噴霧開始温度を超え且つ浄化装置による浄化時間の累計が一定時間を越えない場合には浄化装置をオン・オフ制御させるようにしたから、更に第２貯水タンク１３内の雨水の浄化を進めるようにして、噴霧開始の際には浄化が十分な状態となるように備えることができる。
【００１５】
第４の発明によれば、外気温度が前記噴霧器の噴霧開始温度を超え且つ前記浄化装置の浄化時間の累計が一定時間を越えない場合には前記浄化装置をオン・オフ制御させ、外気温度が前記噴霧器の噴霧開始温度を超え且つ前記浄化装置による浄化時間の累計が一定時間を越えた場合には前記浄化装置を作動させると共に前記噴霧器にて前記室外機に噴霧するように制御するようにしたから、雨水の浄化が十分な状態で噴霧の開始をすることができる。
【００１６】
第５の発明によれば、噴霧が必要になる前に小容量の第２タンクの雨水を浄化して噴霧に備えるようにして無駄のない浄化運転を行うことができ、大容量の貯水タンクの雨水を浄化装置に循環供給するものに比べて大容量の循環ポンプが不要となり、浄化装置を小型のものにすることができるなど、経済的である。
【図面の簡単な説明】
【００１７】
【図１】室外機用冷却装置の概略構成説明図である。
【図２】室外機の正面図である。
【図３】室外機の裏面図である。
【図４】噴霧器の噴霧方向を示す説明図である。
【図５】制御ブロック図である。
【図６】マイコン２８による制御動作に係るフローチャートである。
【図７】室外機用冷却装置の他の１例を示す概略構成説明図である。
【図８】室外機用冷却装置の他の１例を示す概略構成説明図である。
【発明を実施するための形態】
【００１８】
以下、例えば店舗に設置される低温ショーケースや店舗内の空調をするための空気調和装置などの空気調和装置の室外機に雨水を噴霧して冷却する室外機用冷却装置に係る本発明を実施するための第１の実施形態について、図１乃至図６を参照しながら説明する。
【００１９】
図１において、１は建物に設置される雨樋２からの雨水が集められて連通管３を介して貯水する大きな第１貯水タンクである。この第１貯水タンク１の底部にはドレン口４が設けられ、ドレン口４には開閉弁５を有するドレン管６が接続されている。また、第１貯水タンク１の上部にはオーバーフロー口７が設けられ、オーバーフロー口７にはオーバーフロー管８が接続されている。
【００２０】
そして、前記第１貯水タンク１を使用しないときには開閉弁５を開くことで第１貯水タンク１の雨水が排水溝９に排水され、第１貯水タンク１の雨水が一杯になると、余剰の雨水がオーバーフロー管８を通って排水溝９に排水される。
【００２１】
前記第１貯水タンク１の下部には送水口１０が設けられ、送水口１０は給水管１１を介して浄水装置１２内の第２貯水タンク（小容量の、しかも前記第１貯水タンク１より小容量である。）１３の給水口１４に接続されており、また第１貯水タンク１には第１水位センサー１７Ａが設けられている。この第１水位センサー１７Ａは第１貯水タンク１の水位が前記送水口１０よりも僅かに高いレベルＬ１以上であるか否かを検出するものであり、電極式、フロート式何れのものでも良い。
【００２２】
そして、前記浄水装置１２には第２貯水タンク１３、オゾン発生装置１５、送水ポンプ１６などが内蔵されている。第２貯水タンク１３ではフロート式の第２水位センサー１７Ｂが取り付けられ、下部には送水口１８、上部にはオーバーフロー口１９がそれぞれ設けられている。また、この第２貯湯タンク１３の内部は給水口１４側と送水口１８側とを縦に２分する活性炭フィルター２０が設けられている。この活性炭フィルター２０はオゾンを吸着するものであり、送水口１８から送出される浄化水にオゾンが含まれないようにしている。
【００２３】
前記オゾン発生装置１５はエアーポンプ２１と、高電圧を利用してオゾンを発生させると共にオゾンをエアーポンプ２１からの空気に混合させるオゾナイザ２２と、オゾナイザ２２からのオゾンを含む空気を放出させる散気管２３とを備え、前記散気管２３は軽石のような多孔質の部材で作られ、給水口１４と活性炭フィルター２０との間の第２貯水タンク１３内下部に配置されている。
【００２４】
２４は送水口１８に接続された取り出し管であり、この取り出し管２４には前記送水ポンプ１６と電磁弁２５とが設けられている。２６は取り出し管２４に接続された噴霧ノズルから成る噴霧器であり、噴霧器２６は第２貯水タンク１３で浄化され、送水ポンプ１６によって加圧された雨水を霧状に噴霧して空気調和機の室外機２７内の熱交換器を冷却するものである。なお、噴霧器２６は二流体式噴霧ノズルで構成してもよく、取出し管２４を介して取出して送水ポンプ１６により供給される雨水とエアブロワーで加圧される空気とを混合して霧状に噴霧してもよい。更には、噴霧器２６を使用して霧状にして噴霧する場合に限らず、霧状にすることなく室外機２７に散水する散水器を使用してもよい。
【００２５】
前記室外機２７は図２乃至図４に示すように、正面に空気吹き出し口３０があり、裏面と右側面に空気吸い込み口３１がある。また、室外機２７の内部にはＬ型の熱交換器３２と、プロペラ式の送風ファン３３と、圧縮機３４が設けられている。そして、送風ファン３３の運転により空気吸い込み口３１から吸い込まれた室外空気が熱交換器３２を通り、ここで熱交換器３２を流れる冷媒と熱交換された後、空気吹き出し口３０から室外に排出される。
【００２６】
室外機２７は図４に示すように、通常、建物の壁３５と空気吸い込み口３１との間に間隔をとって建物の壁３５と平行に設置されている。そして、噴霧器２６は室外機２７の裏面の空気吸い込み口３１側に且つ噴霧方向が空気吸い込み方向とほぼ直交するように配置してある。また、この噴霧器２６を対向するように一対も設けてもよく、更には記室外機とほぼ平行に設置された建物の壁３５に噴霧するように配置してもよく、前記室外機２７とほぼ平行に設置された吸水性の良好なマットに噴霧するように配置してもよい。また、噴霧器２６を前記室外機２７の空気吸い込み側に、且つ、前記室外機２７とほぼ平行に設置された前記室外機２７に向けて複数の吹出開口が設けられ筒体内部に噴霧するように配置してもよい。
【００２７】
図５において、２８は制御装置としてのマイクロコンピュータ（以下、「マイコン」という。）であり、このマイコン２８の入力側には運転を開始させる際に操作される運転スイッチ３７、電源電圧を検出する電源電圧検出手段３８、送水ポンプ１６の吐出圧力を検出する圧力スイッチ３９、第１水位センサー１７Ａ、オゾナイザ２２に供給される電流を検出するオゾナイザ入力電流検出手段４０、エアーポンプ２１に供給される電流を検出するエアーポンプ入力電流検出手段４１、外気温度を検出する外気温センサー４２及び圧縮機３４の冷媒管の温度を検出する圧縮機吐出管温度センサー４３が設けられる。また、マイコン３６の出力側にはオゾナイザ２２、電源投入状態のときに点灯する電源ＬＥＤ４４、異常時に点灯する異常ＬＥＤ４５、エアーポンプ２１、送水ポンプ１６及び電磁弁２５が設けられている。
【００２８】
なお、圧縮機３４の冷媒管の温度を検出する圧縮機吐出管温度センサー４３に代えて、室外機２７を含めた冷凍サイクルユニットが運転していることを検出するために、熱交換器３３の冷媒入口又は冷媒出口の冷媒圧力が所定値以上になったこと、又は熱交換器３３の冷媒入口の冷媒温度が所定温度以上になったこと、又は熱交換器３３（冷媒管やフィン等）の温度が所定温度以上になったこと、又は空気調和装置の圧縮機３４の電動装置に流れる電流が所定値以上になったことを検出する検出装置を設けてもよい。
【００２９】
次に上述した室外機用冷却装置のマイコン２８による制御動作を図６のフローチャートを参照して説明する。先ず、運転スイッチ３７をＯＮにすると、動作が開始し、電源ＬＥＤ４４が点灯する。そして、マイコン２８は第１水位センサー１７Ａの検出水位がＬ１以上であるか否かを判断する（ステップＳ０１）。
【００３０】
この場合、検出水位がＬ１より低いときは第１貯水タンク１の送水口１０から第２貯水タンク１３に給水されなくなる心配があるため、マイコン２８は浄水装置１２内のオゾン発生装置１５のエアーポンプ２１及びオゾナイザ２２を共にＯＦＦ（オフ、以下同じ。）とし（ステップＳ０２、Ｓ０３）、また取り出し管２４の電磁弁２５及び送水ポンプ１６も共にＯＦＦとする（ステップＳ０４、Ｓ０５）。従って、オゾナイザ２２によりオゾンは発生されないし、室外機２７への噴霧もされない。
【００３１】
前記第１水位センサー１７Ａの検出水位がＬ１以上であるときには、マイコン２８は外気温センサー４２の検出する外気温が噴霧器２６の噴霧開始温度（例えば、３０°Ｃ）を超えているか否かを判断し（ステップＳ０６）、外気温が３０°Ｃ以下のときには外気温が３０°Ｃよりも３°Ｃ低い所定温度（２７°Ｃ）よりも高いか否かを判断する（ステップＳ０７）。外気温が２７°Ｃ以下のときには、マイコン２８はエアーポンプ２１、オゾナイザ２２、電磁弁２５及び送水ポンプ１６はＯＦＦのままとする（ステップＳ０８、Ｓ０９）。
【００３２】
そして、外気温が３０°Ｃ以下であるが２７°Ｃを超えているとマイコン２８により判断された場合には（ステップＳ０７）、外気温が上昇中か否かが判断され（ステップＳ１０）、外気温が上昇していないときにはエアーポンプ２１、オゾナイザ２２、電磁弁２５及び送水ポンプ１６はＯＦＦのままとする（ステップＳ０８、Ｓ０９）。
【００３３】
また外気温が３０°Ｃ以下であるが２７°Ｃを超え、且つ外気温が上昇中のときにはエアーポンプ２１及びオゾナイザ２２がＯＮ／ＯＦＦを繰り返す間欠運転制御がマイコン２８により行われ（ステップＳ１１）、電磁弁２５及び送水ポンプ１６はＯＦＦのままとされ（ステップＳ０９）、噴霧されない。即ち、エアーポンプ２１及びオゾナイザ２２は一定時間（例えば、５分間）毎にＯＮして、一定時間（例えば、２分間）毎にＯＦＦするというＯＮ／ＯＦＦを繰り返す間欠運転制御がマイコン２８により行われることとなる。なお、外気温が上昇中か否かは、例えば５分毎の検出外気温が前より上昇しているか否かを判断するもので、５分前の外気温より上昇している場合には「上昇中」と判断することを意味している。
【００３４】
そして、エアーポンプ２１及びオゾナイザ２２が運転（オン）すると、第１貯水タンク１から給水管１１及び給水弁１７を介して第２貯水タンク１３に給水された雨水に散気管２３からオゾンを含む空気が泡状になって放出され、第２貯水タンク１３の雨水はオゾンの除菌作用により浄化される。従って、第２貯水タンク１３の雨水は浄化され、その後の噴霧に備えることとなる。
【００３５】
そして、外気温が噴霧器２６の噴霧開始温度（３０°Ｃ）を超えると（ステップＳ０６）、マイコン３６は圧縮機吐出管温度センサー４３からの信号に基づき室外機２７に搭載された圧縮機３４の吐出管温度が常温よりも高い設定温度以上か否かをマイコン２８が判断する（ステップＳ１２）。
【００３６】
この場合、圧縮機３４の吐出管温度が設定温度未満のときには室外機２７が停止状態であるため、ステップＳ１１と同様に、エアーポンプ２１及びオゾナイザ２２のＯＮ／ＯＦＦ制御が継続され（ステップＳ１３）、電磁弁２５及び送水ポンプ１６はＯＦＦのままとされる（ステップＳ１４、Ｓ１５）。即ち、室外機２７が停止状態であるために、室外機２７の熱交換器３２での熱交換がされていない状態であるため、この熱交換を効率良くする必要はないから、第２貯水タンク１３の雨水は浄化するが噴霧はせずに、その後の噴霧に備えることとなる。
【００３７】
外気温が３０°Ｃを超え、且つ、圧縮機３４の吐出管温度が設定温度以上となったことを圧縮機吐出管温度センサー４３が検出すると（ステップＳ１２）、次にオゾナイザ２２のＯＮの累積時間が一定時間以上であるか否かが判断される（ステップＳ１６）。
【００３８】
この場合、オゾナイザ２２のＯＮの累積時間が一定時間に到達していないと判断された場合には、更に第２貯水タンク１３内の雨水の浄化を進めるように、エアーポンプ２１及びオゾナイザ２２のＯＮ／ＯＦＦ制御が継続され（ステップＳ１３）、電磁弁２５及び送水ポンプ１６はＯＦＦのままとされる（ステップＳ１４、Ｓ１５）。
【００３９】
また外気温が３０°Ｃを超え、且つ、圧縮機３４の吐出管温度が設定温度以上となり、更にオゾナイザ２２のＯＮ／ＯＦＦ制御の累積時間が一定時間以上である（雨水の浄化が十分な状態である。）と判断されると（ステップＳ１６）、室外機２７が運転して冷凍サイクルユニットが運転している状態であって、しかも第２貯水タンク１３の雨水の浄化が十分に行われているため、エアーポンプ２１及びオゾナイザ２２はＯＮのまま連続運転となって（ステップＳ１７）、雨水の浄化運転を継続しつつ、電磁弁２５がＯＮして開く（（ステップＳ１８）と共に送水ポンプ１６がＯＮして送水運転を行う（ステップＳ１９）。但し、送水ポンプ１６は、例えば粘性ポンプ（摩擦ポンプ）に分類されるカスケードポンプ（渦流ポンプ）を使用しており、所定の圧力設定値以下のときに、ＯＮするものである。
【００４０】
このとき、第２貯水タンク１３内でオゾンによって浄化され、かつ、活性炭フィルター２０でオゾンが取り除かれた雨水は取り出し管２４を通って送水ポンプ１６に入り、ここで送水ポンプ１５で加圧されて噴霧器２６に供給されて噴出されるため、外気温が３０°Ｃを超える場合でも熱交換器３２での熱交換が効率よく行われ、凝縮圧力が低下させ、消費電力を低下させることができる。
【００４１】
なお、第２貯水タンク１３の水位が下がったことを第２水位センサー１７Ｂが検出すると、給水口１４に設けた給水弁が開き、第１貯水タンク１から第２貯水タンク１３内に雨水が供給され、オゾンによる浄化が可能となる。
【００４２】
また噴霧器２６は室外機２７の空気吸い込み口３１側に、且つ、噴霧方向が空気吸い込み方向とほぼ直交するように配置してあるので、噴霧器２６から噴霧された霧状の水は室外機２７に吸い込まれる空気とほぼ９０°（８０°〜１１０°、好ましくは８５°〜９５°）の角度でぶつかり、気化しながら吸い込み空気と一緒に室外機２７に流入するので、室外機２７内部の熱交換器３２は水の気化熱で温度の下がった吸い込み空気によって効率よく冷却され、雨水の使用量も少なくて済む。また、噴霧器２６から噴霧される第２貯水タンク１３の雨水はオゾン発生装置１５で浄化されているため、衛生的な散水を行うことができ、しかも、第２貯水タンク１３内で活性炭フィルター２０を通過する際にオゾンが除去されているため、オゾンが室外機２７を腐食させたり、室外機２７の周囲にオゾンをまき散らす心配もない。
【００４３】
上述した室外機用冷却装置では、外気温が噴霧器２６の噴霧開始温度（例えば、３０°Ｃ）より低い所定温度（例えば、２７°Ｃ）を上回ったときに浄化装置１２のオゾン発生装置１５を作動させるようにしたので、貯水タンク１の雨水を必要以上に浄化することがなくなり、しかも、外気温が噴霧開始温度に到達する前に必要な量の雨水を第２貯水タンク１３内で浄化させることができるため、使い勝手を損なうことなく、消費電力の低減を図ることができる。
【００４４】
しかも、外気温が噴霧器２６の噴霧開始温度（例えば、３０°Ｃ）より低い所定温度（例えば、２７°Ｃ）を上回り、かつ外気温が上昇しているときにオゾン発生装置１５を作動させるようにしたので、外気温が噴霧開始温度近くになっても外気温が上昇を続けないかぎりオゾン発生装置１５が作動することがなく、より一層の消費電力の低減を図ることができる。
【００４５】
また、貯水タンクが第１貯水タンク１と第１貯水タンク１から雨水が供給される小容量の第２貯水タンク１３とを備え、浄化装置１２は小容量の第２貯水タンク１３の雨水を浄化するようにしたので、しかも噴霧が必要になる前に小容量の第２貯水タンク１３の雨水を浄化して噴霧に備えるようにして無駄のない浄化運転を行うことができ、室外機１に雨水を噴霧する場合には、いつでも直ちに十分に浄化されたものを噴霧できるようにして、室外機１等の腐食の防止を図ることができる。更に、大容量の貯水タンクの雨水を浄化装置に循環供給する従来のものに比べて大容量の循環ポンプが不要となり、浄化装置を小型のものにすることができるなど、経済的である。
【００４６】
図７は室外機用冷却装置の他の例を示すものである。図１に示すものと異なるのは、オゾン発生装置１５が第２貯水タンク１３の底部に接続され、第２貯水タンク１３内の雨水を循環させるための小容量の循環ポンプ４５及びインジェクター４６を有する循環路４７と、インジェクター４６にオゾンを供給するオゾナイザ２２とで構成されていることである。このものでは、循環ポンプ４５とオゾナイザ２２を運転することにより第２貯水タンク１３の雨水は循環路４７を流れる際にオゾンが混合され、この第２貯水タンク１３の雨水は浄化されるようにしてあり、オゾンは活性炭フィルター２０で除去され、噴霧器２６には供給されないようにしている。この場合、マイコン２８はエアーポンプ２１の代わりに循環ポンプ４５を制御する点を除き、図６に示すものと同様な制御を行う。
【００４７】
図８に示す室外機用冷却装置では、第２貯水タンク１３に接続された取り出し管２４にインジェクター４６と送水ポンプ１６を順次設け、インジェクター４６にオゾナイザ２２のオゾンを供給するようにしている。このものでも、第２貯水タンク１３の雨水を噴霧前にオゾンで浄化することが可能であるが、オゾンが散水器２６から放出される。
【００４８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４９】
１          第１貯水タンク
１２        浄化装置
１３        第２貯水タンク
１５        オゾン発生装置
１６        送水ポンプ
２１        エアーポンプ
２２        オゾナイザ
２５        電磁弁
２６        噴霧器
２７        室外機
２８        マイクロコンピュータ
４２        外気温センサー
【図１】
2011069589.tif 000003
【図２】
2011069589.tif 000004
【図３】
2011069589.tif 000005
【図４】
2011069589.tif 000006
【図５】
2011069589.tif 000007
【図６】
2011069589.tif 000008
【図７】
2011069589.tif 000009
【図８】
2011069589.tif 000010